【手続補正書】
【提出日】平成17年12月19日(2005.12.19)
【手続補正１】
【補正対象書類名】明細書
【補正対象項目名】発明の名称
【補正方法】変更
【補正の内容】
【発明の名称】撮像装置及び撮像制御方法
【手続補正２】
【補正対象書類名】明細書
【補正対象項目名】特許請求の範囲
【補正方法】変更
【補正の内容】
【特許請求の範囲】
【請求項１】  被写体を撮像する撮像手段と、
前記被写体に関する被写体情報を無線タグより非接触で検出する情報検出手段と、
前記情報検出手段により検出された被写体情報を前記撮像手段により得られた画像情報と共に記録媒体に記録する記録手段と、
前記撮像手段における撮像条件に応じて、前記情報検出手段における検出条件を設定する設定手段とを備えたことを特徴とする撮像装置。
【請求項２】  前記撮像手段は、画角を変倍する変倍レンズを有し、
前記情報検出手段は、アンテナを有し、
前記設定手段は、前記変倍レンズの変倍量に応じて前記アンテナの指向性を変更することを特徴とする請求項１に記載の撮像装置。
【請求項３】  前記撮像手段は、前記被写体までの距離を検出する被写体距離検出手段を有し、
前記設定手段は、前記被写体距離検出手段により検出された被写体距離に応じて前記情報検出手段における検出感度を変更することを特徴とする請求項１に記載の撮像装置。
【請求項４】  前記記録手段は、前記被写体距離検出手段により検出された被写体距離に応じた被写体情報を選択して前記記録媒体に記録することを特徴とする請求項３に記載の撮像装置。
【請求項５】  前記記録手段は、前記情報検出手段により検出された被写体情報のうち、前記撮像条件に一致した特定の被写体情報を選択して前記記録媒体に記録することを特徴とする請求項４に記載の撮像装置。
【請求項６】  前記撮像手段の撮影モードを設定する撮影モード設定手段を備え、
前記記録手段は、前記情報検出手段により検出された被写体情報のうち、前記撮影モード設定手段により設定された撮影モードに合致した種別の被写体情報を選択して前記記録媒体に記録することを特徴とする請求項１に記載の撮像装置。
【請求項７】  前記撮像手段は、複数の撮影モードを有し、
前記情報検出手段により検出された被写体情報の種類を判別し、前記判別した被写体情報の種類に基づいて前記被写体を推定する被写体推定手段と、
前記被写体推定手段により推定された被写体に適した撮影モードを設定する撮影モード設定手段とを備えたことを特徴とする請求項１に記載の撮像装置。
【請求項８】  被写体に関する被写体情報を無線タグより非接触で検出する情報検出ステップと、
前記情報検出ステップにより検出された被写体情報を、被写体を撮像する撮像手段により得られた画像情報と共に記録媒体に記録する記録ステップと、
前記撮像手段における撮像条件に応じて、前記情報検出ステップにおける検出条件を設定する設定ステップとを備えたことを特徴とする撮像制御方法。
【手続補正３】
【補正対象書類名】明細書
【補正対象項目名】０００１
【補正方法】変更
【補正の内容】
【０００１】
【発明の属する技術分野】
本発明は、撮像装置及び撮像制御方法に関し、特に、撮像する被写体に関する被写体情報を取得するために用いて好適なものである。
【手続補正４】
【補正対象書類名】明細書
【補正対象項目名】００１２
【補正方法】変更
【補正の内容】
【００１２】
【課題を解決するための手段】
本発明の撮像装置は、被写体を撮像する撮像手段と、前記被写体に関する被写体情報を無線タグより非接触で検出する情報検出手段と、前記情報検出手段により検出された被写体情報を前記撮像手段により得られた画像情報と共に記録媒体に記録する記録手段と、前記撮像手段における撮像条件に応じて、前記情報検出手段における検出条件を設定する設定手段とを備えたことを特徴とする。
本発明の撮像制御方法は、被写体に関する被写体情報を無線タグより非接触で検出する情報検出ステップと、前記情報検出ステップにより検出された被写体情報を、被写体を撮像する撮像手段により得られた画像情報と共に記録媒体に記録する記録ステップと、前記撮像手段における撮像条件に応じて、前記情報検出ステップにおける検出条件を設定する設定ステップとを備えたことを特徴とする。
【手続補正５】
【補正対象書類名】明細書
【補正対象項目名】０１１９
【補正方法】削除
【補正の内容】
【手続補正６】
【補正対象書類名】明細書
【補正対象項目名】０１２０
【補正方法】削除
【補正の内容】
【手続補正７】
【補正対象書類名】明細書
【補正対象項目名】０１２１
【補正方法】削除
【補正の内容】
【手続補正８】
【補正対象書類名】明細書
【補正対象項目名】０１２２
【補正方法】削除
【補正の内容】
【手続補正９】
【補正対象書類名】明細書
【補正対象項目名】０１２３
【補正方法】削除
【補正の内容】
【手続補正１０】
【補正対象書類名】明細書
【補正対象項目名】０１２４
【補正方法】削除
【補正の内容】
【手続補正１１】
【補正対象書類名】明細書
【補正対象項目名】０１２５
【補正方法】削除
【補正の内容】
【手続補正１２】
【補正対象書類名】明細書
【補正対象項目名】０１２６
【補正方法】削除
【補正の内容】
【手続補正１３】
【補正対象書類名】明細書
【補正対象項目名】０１２７
【補正方法】削除
【補正の内容】
【手続補正１４】
【補正対象書類名】明細書
【補正対象項目名】０１２８
【補正方法】削除
【補正の内容】
【手続補正１５】
【補正対象書類名】明細書
【補正対象項目名】０１２９
【補正方法】削除
【補正の内容】
【手続補正１６】
【補正対象書類名】明細書
【補正対象項目名】０１３０
【補正方法】削除
【補正の内容】
【手続補正１７】
【補正対象書類名】明細書
【補正対象項目名】０１３１
【補正方法】削除
【補正の内容】
【手続補正１８】
【補正対象書類名】明細書
【補正対象項目名】０１３２
【補正方法】削除
【補正の内容】
【手続補正１９】
【補正対象書類名】明細書
【補正対象項目名】０１３３
【補正方法】削除
【補正の内容】
【手続補正２０】
【補正対象書類名】明細書
【補正対象項目名】０１３４
【補正方法】削除
【補正の内容】
【手続補正２１】
【補正対象書類名】明細書
【補正対象項目名】０１３５
【補正方法】削除
【補正の内容】
【手続補正２２】
【補正対象書類名】明細書
【補正対象項目名】０１３６
【補正方法】削除
【補正の内容】
【手続補正２３】
【補正対象書類名】明細書
【補正対象項目名】０１３７
【補正方法】削除
【補正の内容】
【手続補正２４】
【補正対象書類名】明細書
【補正対象項目名】０１３８
【補正方法】削除
【補正の内容】
【手続補正２５】
【補正対象書類名】明細書
【補正対象項目名】０１３９
【補正方法】削除
【補正の内容】
【手続補正２６】
【補正対象書類名】明細書
【補正対象項目名】０１４０
【補正方法】削除
【補正の内容】
【手続補正２７】
【補正対象書類名】明細書
【補正対象項目名】０１４１
【補正方法】削除
【補正の内容】
【手続補正２８】
【補正対象書類名】明細書
【補正対象項目名】０１４２
【補正方法】削除
【補正の内容】
【手続補正２９】
【補正対象書類名】明細書
【補正対象項目名】０１４３
【補正方法】削除
【補正の内容】
【手続補正３０】
【補正対象書類名】明細書
【補正対象項目名】０１４４
【補正方法】削除
【補正の内容】
【手続補正３１】
【補正対象書類名】明細書
【補正対象項目名】０１４５
【補正方法】削除
【補正の内容】
【手続補正３２】
【補正対象書類名】明細書
【補正対象項目名】０１４６
【補正方法】削除
【補正の内容】
【手続補正３３】
【補正対象書類名】明細書
【補正対象項目名】０１４７
【補正方法】削除
【補正の内容】
【手続補正３４】
【補正対象書類名】明細書
【補正対象項目名】０１４８
【補正方法】削除
【補正の内容】
【手続補正３５】
【補正対象書類名】明細書
【補正対象項目名】０１４９
【補正方法】削除
【補正の内容】
【手続補正３６】
【補正対象書類名】明細書
【補正対象項目名】０１５０
【補正方法】削除
【補正の内容】
【手続補正３７】
【補正対象書類名】明細書
【補正対象項目名】０１５１
【補正方法】削除
【補正の内容】
【手続補正３８】
【補正対象書類名】明細書
【補正対象項目名】０１５２
【補正方法】削除
【補正の内容】
【手続補正３９】
【補正対象書類名】明細書
【補正対象項目名】０１５３
【補正方法】削除
【補正の内容】